(57)【要約】【課題】給油継手部品が簡単な構造でエンドキャップに確実に固定されて、潤滑油が漏れない給油継手部品を備えたリニアガイド装置を提供する。【解決手段】エンドキャップの上側には凹部又は凸部が形成され、給油口と、その上側に配置される潤滑剤供給源の給油出口と、を接続する給油口を有する給油継手部品を備え、この給油継手部品は、エンドキャップの凹部又は凸部に嵌合する凸部又は凹部を有し、エンドキャップの給油口と給油継手部品の給油口は油漏れ防止部材を介して連結されている。【選択図】図３
2011094729.tif 000002
【特許請求の範囲】
【請求項１】
案内レールの幅方向両側に配置される脚部と、両脚部と直交する方向に延びて両脚部を連結する胴部と、からなり、前記両脚部のスライダ本体側の面に、転動体の方向転換路の外側溝が形成され、前記胴部の上面に給油口が形成され、この給油口から前記方向転換路に向かう油路が形成されているエンドキャップが、スライダ本体の直動方向端部に固定されているスライダを備えたリニアガイド装置であって、
前記エンドキャップの胴部の上側には凹部又は凸部が形成され、前記給油口と、その上側に配置される潤滑剤供給源の給油出口と、を接続する給油口を有する給油継手部品を備え、この給油継手部品は、前記エンドキャップの凹部又は凸部に嵌合する凸部又は凹部を有し、前記エンドキャップの給油口と前記給油継手部品の給油口は油漏れ防止部材を介して連結されていることを特徴とするリニアガイド装置。
【請求項２】
案内レールの幅方向両側に配置される脚部と、両脚部と直交する方向に延びて両脚部を連結する胴部と、からなり、前記両脚部のスライダ本体側の面に、転動体の方向転換路の外側溝が形成され、前記胴部の上面に給油口が形成され、この給油口から前記方向転換路に向かう油路が形成されているエンドキャップが、スライダ本体の直動方向端部に固定されているスライダを備えたリニアガイド装置であって、
前記エンドキャップの胴部の上側には凹部が形成され、前記給油口と、その上側に配置される潤滑剤供給源の給油出口と、を接続する給油口を有する給油継手部品を備え、この給油継手部品は、前記エンドキャップの凹部に対応する凹部を有し、前記エンドキャップの凹部と前記給油継手部品の凹部はピンによって連結され、かつ、前記エンドキャップの給油口と前記給油継手部品の給油口は油漏れ防止部材を介して連結されていることを特徴とするリニアガイド装置。
【発明の詳細な説明】
【技術分野】
【０００１】
本発明は、給油継手部品を備えたリニアガイド装置に関するものである。
【背景技術】
【０００２】
従来より、エンドキャップ上面からテーブルを介して給油するとき，エンドキャップ上面とテーブルの間にスキマが空く場合に，そのスキマを埋めて潤滑剤供給の通路を形成するために、給油継手部品を用いなければならず、この給油継手部品をエンドキャップに固定する時の作業がしにくい等の課題があった。
【０００３】
この部分の改善の先行技術としては、図６に示す給油継手部品を備えたリニアガイド装置（特開２００８−２６７５９１号公報）がある。リニアガイド装置は、案内レール４とスライダ５と複数個の転動体（不図示）とを備えている。案内レール４およびスライダ５は、互いに対向配置されて転動体の転動通路（不図示）を形成する転動溝（転動体が「ころ」の場合には転動面）を有する。スライダ５は、さらに、転動体の戻し通路（不図示）と、前記戻し通路と前記転動通路とを連通させる方向転換路（不図示）を有する。そして、前記転動通路、戻し通路、および方向転換路で転動体の循環経路が構成され、この循環経路内を転動体が循環することにより、案内レール４およびスライダ５の一方が他方に対して相対的に直線運動する。
【０００４】
このようなリニアガイド装置のスライダ５においては、スライダ本体３の直動方向端部にエンドキャップ２が固定されている。エンドキャップ２は、案内レール４の幅方向両側に配置される脚部２３と、両脚部と直交する方向に延びて両脚部を連結する胴部２１とからなる。そして、両脚部のスライダ本体側の面に、転動体の方向転換路の外側溝（不図示）が形成され、胴部２１には給油口（不図示）が形成されている。また、エンドキャップ２には、前記給油口から前記方向転換路に向かう油路（不図示）が形成されている。スライダ本体３の上面がスライダ５の上に取り付けるテーブル（不図示）の取り付け面となる。
【０００５】
従来より、スライダ５の上に取り付けるテーブル内に油路を設け、この油路を通してエンドキャップ２に給油することが行われている。その際に、エンドキャップ２の上面がスライダ本体３の上面より低く形成されている場合には、例えば図６及び図７に示すように、エンドキャップ２の胴部２１の上面に設けた給油口２２の上に、ほぼ円柱体からなるブロック状の給油継手部品１００を取り付けている。
【０００６】
図７に示すように、給油継手部品１００の円板状の下端突出部１０１に、エンドキャップ２の給油口２２に連通する給油口１０１ａが形成されている。また、エンドキャップ２の給油口２２の上に、給油継手部品１００の下端突出部１０１が遊嵌される円形の凹部２３０が形成されている。この凹部２３０に、給油継手部品１００の下端突出部１０１が嵌合されている。
【０００７】
しかしながら、この先行技術には、エンドキャップ２の凹部２３０の内周面に更に凹部を設けなければならないという問題がある。一般にエンドキャップ２は樹脂の射出成形で形成されるが，射出成形する場合には，この内周面の凹部で金型が抜けなくなってしまう。金型を無理に抜くことは出来るが，この場合はエンドキャップ内周面の凹部の形状が崩れるので，給油継手部品１００の下端突出部１０１が凹部２３０とぴったりと嵌合せず、潤滑油が漏れやすくなるという問題があった。
【先行技術文献】
【特許文献】
【０００８】
【特許文献１】特開２００８−２６７５９１号公報
【発明の概要】
【発明が解決しようとする課題】
【０００９】
そこで、本発明は上記のような従来技術が有する問題点を解決し、給油継手部品が簡単な構造でエンドキャップに確実に固定されて、潤滑油が漏れない給油継手部品を備えたリニアガイド装置を提供することを課題とする。
【課題を解決するための手段】
【００１０】
前記課題を解決するため、本発明は次のような構成からなる。すなわち、本発明に係る給油継手部品を備えたリニアガイド装置は案内レールの幅方向両側に配置される脚部と、両脚部と直交する方向に延びて両脚部を連結する胴部と、からなり、前記両脚部のスライダ本体側の面に、転動体の方向転換路の外側溝が形成され、前記胴部の上面に給油口が形成され、この給油口から前記方向転換路に向かう油路が形成されているエンドキャップが、スライダ本体の直動方向端部に固定されているスライダを備えたリニアガイド装置であって、前記エンドキャップの胴部の上側には凹部又は凸部が形成され、前記給油口と、その上側に配置される潤滑剤供給源の給油出口と、を接続する給油口を有する給油継手部品を備え、この給油継手部品は、前記エンドキャップの凹部又は凸部に嵌合する凸部又は凹部を有し、前記エンドキャップの給油口と前記給油継手部品の給油口は油漏れ防止部材を介して連結されていることを特徴としている。
【００１１】
また、本発明に係る給油継手部品を備えたリニアガイド装置は案内レールの幅方向両側に配置される脚部と、両脚部と直交する方向に延びて両脚部を連結する胴部と、からなり、前記両脚部のスライダ本体側の面に、転動体の方向転換路の外側溝が形成され、前記胴部の上面に給油口が形成され、この給油口から前記方向転換路に向かう油路が形成されているエンドキャップが、スライダ本体の直動方向端部に固定されているスライダを備えたリニアガイド装置であって、前記エンドキャップの胴部の上側には凹部が形成され、前記給油口と、その上側に配置される潤滑剤供給源の給油出口と、を接続する給油口を有する給油継手部品を備え、この給油継手部品は、前記エンドキャップの凹部に対応する凹部を有し、前記エンドキャップの凹部と前記給油継手部品の凹部はピンによって連結され、かつ、前記エンドキャップの給油口と前記給油継手部品の給油口は油漏れ防止部材を介して連結されていることを特徴としている。
【発明の効果】
【００１２】
本発明によれば、給油継手部品が簡単な構造でエンドキャップに確実に固定されて、潤滑油が漏れないという効果がある。
【図面の簡単な説明】
【００１３】
【図１】第１実施形態の給油継手部品を示す平面図（ａ）と正面図（ｂ）である。
【図２】エンドキャップを示す平面図（ａ）と正面図（ｂ）である。
【図３】図１の給油継手部品の取り付け状態を示す部分断面図である。
【図４】第２実施形態の給油継手部品を示す図である。
【図５】図４の給油継手部品の取り付け状態を示す部分断面図である。
【図６】リニアガイド装置を示す斜視図である。
【図７】従来の給油継手部品とその取付構造を説明する図である
【発明を実施するための形態】
【００１４】
以下、本発明の実施形態について説明する。
図１は、第１実施形態の給油継手部品１を示す平面図（ａ）と正面図（ｂ）である。この給油継手部品１は、ほぼ直方体状の本体部１１と、凸部としての円柱状の突起１２と、からなり、中心に油路１３が形成されている。本体部１１の上面には、スライダ本体の上面に固定されるテーブルに設けられた油路（不図示）と連結する部分に配設される油漏れ防止部材としてのＯリングを嵌める凹所１１ａが形成されている。この給油継手部品１は、エンドキャップ２と同じ材料、例えばＰＯＭなどの合成樹脂を用いた射出成形法で得ることができる。
【００１５】
図２は、エンドキャップ２を示す平面図（ａ）と正面図（ｂ）である。エンドキャップ２の胴部２１の上面中心には給油継手部品１の油路１３と連通する給油口２２が形成されている。この給油口２２は、エンドキャップ２のスライダ本体３側の面に形成された、方向転換路に向かう油路と接続されている。給油口２２の周囲にＯリングを嵌める凹所１１ｂが形成されている。また胴部２１の上面には給油継手部品１の突起１２と対応する位置に直径が突起１２の直径よりも多少小さい穴１５が形成されている。穴１５は、突起１２と軽い締まりばめをする様になっていれば良く、突起１２は穴１５と締まりばめにて給油継手部品１をエンドキャップ２に固定することが出来れば、どの様な断面形状であっても良い。
【００１６】
図３は、給油継手部品１をエンドキャップ２に取り付けた状態の図である。給油継手部品１をエンドキャップ２に取り付けるには、まず、エンドキャップ２の凹所１１ｂにＯリング１６を嵌め込み、次に給油継手部品１の突起１２をエンドキャップ２の穴１５に合せ、嵌入することによって行われる。
したがって、この実施形態の油継手部品を備えたリニアガイド装置によれば、簡単な構造で給油継手部品がエンドキャップに確実に固定されて、潤滑油が漏れることがない。
【００１７】
図４は第２実施形態の給油継手部品７を示す正面図であり、図５は第２実施形態の給油継手部品７をエンドキャップ２に取り付けた状態の図である。第２実施形態の給油継手部品７は第１の実施形態の給油継手部品１の突起１２の代わりに凹部としての穴１７とした点が異なる。第２実施形態のエンドキャップ２は第１の実施形態のエンドキャップ２と同じものである。
【００１８】
給油継手部品７をエンドキャップ２に取り付けるには、まず、エンドキャップ２の凹所１１ｂにＯリング１６を嵌め込み、次にエンドキャップ２の２箇所の穴１５にピン１８を圧入する。このピン１８の直径は穴１５及び給油継手部品７の穴１７の直径よりも多少大きくなっている。そしてこの２箇所のピン１８の位置に給油継手部品７の穴１７を合せ給油継手部品７押し込むことによって、給油継手部品７がエンドキャップ２に固定される。ピン１８は、穴１５及び穴１７と締まりばめによって給油継手部品７をエンドキャップ２に固定することが出来れば、どの様な断面形状であっても良く、スプリングピン等を用いても良い。
この第２の実施形態の給油継手部品を備えたリニアガイド装置によっても、簡単な構造で給油継手部品がエンドキャップに確実に固定されて、潤滑油が漏れることがない。
【００１９】
なお、第２実施形態の説明において、まずエンドキャップ２の２箇所の穴１５にピン１８を圧入した後に給油継手部品７の穴１７をそのピン１８の位置に合わせて給油継手部品７を押し込んでエンドキャップ２に固定する例を示したが、まず、ピン１８を給油継手部品７の穴１７に圧入し、この給油継手部品７に圧入されたピン１８をエンドキャップ２の穴１５に圧入して、給油継手部品７をエンドキャップ２に固定しても良い。
また、突起１２と穴１５が締まりばめする構造を示したが、必ずしも締まりばめでなくとも、例えば穴が奥側で広がる様な構造としておき、突起も先端で広がる構造として、突起先端の広がりが穴の中で引っ掛かる構造としても良い。例えば、エンドキャップ２の穴１５が、エンドキャップ２の肉盗みと貫通できるような場合には、このような構造でも良い。
【産業上の利用可能性】
【００２０】
本発明は、給油継手部品を備えたリニアガイド装置として、各種機械装置に広く適用できる。
【符号の説明】
【００２１】
1      給油継手部品
2      エンドキャップ
3      スライダ本体
4      案内レール
12      突起（凸部）
15      穴（凹部）
16      Ｏリング（油漏れ防止部材）
17      穴（凹部）
18      ピン
21      胴部
22      給油口
23      脚部
【図１】
2011094729.tif 000003
【図２】
2011094729.tif 000004
【図３】
2011094729.tif 000005
【図４】
2011094729.tif 000006
【図５】
2011094729.tif 000007
【図６】
2011094729.tif 000008
【図７】
2011094729.tif 000009